(57)【特許請求の範囲】
【請求項１】
透明樹脂材の成形品からなる指針本体の表面に金属調ホットスタンプ層からなる意匠が施された指針であって、
前記指針本体の表面に着色ホットスタンプ層が形成され、該着色ホットスタンプ層の上に前記金属調ホットスタンプ層からなる意匠が施されており、前記指針本体の裏面の全面に金属調又は白色のホットスタンプ層が形成されていることを特徴とする指針。
【請求項２】
透明樹脂材の成形品からなる指針本体の表面に金属調ホットスタンプ層からなる意匠が施された指針を製造する方法であって、
前記指針本体の表面に着色ホットスタンプ層を形成し、該着色ホットスタンプ層の上に前記金属調ホットスタンプ層を形成し、レーザにより前記金属調ホットスタンプ層の不要部分を削除することにより前記意匠を施すようにしたことを特徴とする指針の製造方法。
【発明の詳細な説明】
【０００１】
【発明の属する技術分野】
本発明は、計器用の金属調発光指針及びその製造方法に関するものである。
【０００２】
【従来の技術】
従来、計器用の指針として、図３及び図４に示すような金属調発光指針が知られている。この指針１は、着色又は無色の透明樹脂成形品からなる指針本体２の表裏にホットスタンプ層３、４が形成されたものである。図３中、符号２０は、指針キャップである。
【０００３】
図４（ａ）の指針１Ａは、赤色等の着色透明樹脂成形品からなる指針本体２の表面に３本の線状の金属調ホットスタンプ層３を、裏面の全面に金属調又は白色のホットスタンプ層４を各々形成したもの、図４（ｂ）の指針１Ｂは、無色の透明樹脂成形品からなる指針本体２の表面に金属調ホットスタンプ層３を、裏面の全面に赤色等の蛍光色のホットスタンプ層４を各々形成したものである。また、図４（ｃ）及び（ｄ）は、指針本体２の表面に凸部２ａを形成してその上に金属調ホットスタンプ層３を形成したもので、図４（ｃ）の指針１Ｃは図４（ａ）の指針１Ａに、図４（ｄ）の指針１Ｄは図４（ｃ）の指針１Ｃに各々対応したものである。
【０００４】
【発明が解決しようとする課題】
上記のような従来構造の指針を上（計器の正面）から見ると、図４（ａ）及び（ｃ）の指針１Ａ及び１Ｃでは、金属調ホットスタンプ層３の間から指針本体２の成形品そのものの色及び裏面のホットスタンプ層４が見え、また、図４（ｂ）及び（ｄ）の指針１Ｂ及び１Ｄでは、透明な指針本体２を通して裏面のホットスタンプ層４の色が見えることになる。いずれの場合も指針の夜間照明時は、指針本体２内に導光される強い光により、指針本体２の着色およびホットスタンプ層４の色がよく見える。
【０００５】
ところが、昼間においては、指針本体２の側面から外部光６が入り、この外部光６がホットスタンプ層４で反射され、この反射光７が表面の金属調ホットスタンプ層１１の間から出るときは光は弱くなり、ひいては視認性が悪いという問題がある。
【０００６】
また、金属調ホットスタンプ層３は、指針の意匠に合わせて作成する必要があるが、ホットスタンプを転写した場合に位置ずれが発生しやすく、製造の歩留りが悪いという問題もある。
【０００７】
なお、図４（ｃ）及び（ｄ）のように凸部２ａを形成してこの上にホットスタンプを施すと、凸部２ａのみに転写でき、歩留りの問題は解決できるが、視認性が悪いという問題は解消されない。
【０００８】
本発明は、上述の点に着目してなされたもので、視認性がよく、歩留りも向上させた指針及びその製造方法を提供することを目的とする。
【０００９】
【課題を解決するための手段】
前記目的を達成するため、請求項１記載の発明は、透明樹脂材の成形品からなる指針本体の表面に金属調ホットスタンプ層からなる意匠が施された指針であって、前記指針本体の表面に着色ホットスタンプ層が形成され、該着色ホットスタンプ層の上に前記金属調ホットスタンプ層からなる意匠が施されており、前記指針本体の裏面の全面に金属調又は白色のホットスタンプ層が形成されていることを特徴とするものである。
【００１０】
このため、請求項１記載の発明では、金属調ホットスタンプ層からなる意匠の間から直接見える指針表面の部分に着色ホットスタンプ層が露出し、昼間および夜間を問わず視認性が良好になる。
【００１１】
また、請求項２記載の発明は、透明樹脂材の成形品からなる指針本体の表面に金属調ホットスタンプ層からなる意匠が施された指針を製造する方法であって、前記指針本体の表面に着色ホットスタンプ層を形成し、該着色ホットスタンプ層の上に前記金属調ホットスタンプ層を形成し、レーザにより前記金属調ホットスタンプ層の不要部分を削除することにより前記意匠を施すようにしたことを特徴とするものである。
【００１２】
このため、請求項２記載の発明では、金属調ホットスタンプ層に位置ずれ等がなく高精度の意匠が表現できる。
【００１３】
【発明の実施の形態】
以下、本発明の実施の形態を図面に基づいて説明する。なお、図３および図４と同一部材または同一機能のものは同一符号を付して示している。
【００１４】
図１（ａ）及び図２（ａ）に示すように、指針１の成形は、先ず、アクリル、ポリカーボネート等の透明樹脂材の成形品からなる指針本体２の表面に、赤色又は蛍光色（この色の種類は任意である）等の着色ホットスタンプ層１０を形成し、この着色ホットスタンプ層１０上に金属調ホットスタンプ層３を形成する。また、指針本体２の裏面の全面に金属調又は白色のホットスタンプ層４を形成する。
【００１５】
次に、金属調ホットスタンプ層３上にレーザ光を照射し、金属調ホットスタンプ層３の不要な部分を削除する。金属調ホットスタンプ層３は着色ホットスタンプ層１０より小さいレーザ出力で削除される性質があり、そのため、金属調ホットスタンプ層３のみ削除できるレーザ出力で照射すると、金属調ホットスタンプ層３が先ず削除される。レーザ出力をそれ以上に上げていくと着色ホットスタンプ層１０も削除されるので、着色ホットスタンプ層１０のみ残すレーザ出力で照射すればレーザ照射した部分の金属調ホットスタンプ層３が削除され、指針本体２の表面に所望の意匠が形成される。
【００１６】
実験例
レーザ照射装置として下記に示すようなレーザ印字装置を使用して金属調発光指針のレーザ加工の実験を行った。
【００１７】
レーザの種類        ＹＡＧ
発振光波長          １．０６μｍ
パルス幅            （１）〜３９．８ＫＨｚ
電流値              （７．５）〜２０Ａ
加工時のパルス幅    １２ＫＨｚ
加工時のピーク出力  ２ＫＷ
着色ホットスタンプ層１０は、赤又は橙色の染料で染色したポリエチレン樹脂材を粉砕した後、アクリル樹脂材でバインダしたものを使用した。また、金属調ホットスタンプ層３は、数百オングストロームの厚さのアルミ箔を蒸着したものを使用した。
【００１８】
次に、レーザ出力を種々に変えて照射した結果を示す。
【００１９】
１）パルス幅のｍｉｎ／ｍａｘで比較した（電流値は７．５Ａで固定）。
【００２０】
（ａ）１ＫＨｚ（ｍｉｎ）のときは、  金属調ホットスタンプ層３のみ消失し、着色ホットスタンプ層１０のダメージは肉眼では確認できなかった。
【００２１】
（ｂ）３９ＫＨｚ（ｍａｘ）のときは、  金属調ホットスタンプ層３のみ消失し、着色ホットスタンプ層１０の消失は肉眼では確認できなかった。
【００２２】
２）電流値２０Ａ（ｍａｘ）で確認した（パルス幅は１２ＫＨｚで固定）。その結果レーザ照射範囲の全てのホットスタンプが消失し、アクリル樹脂材が露出した。
【００２３】
３）金属調ホットスタンプ層３の有無で電流値を変化させて比較した。その結果を以下に示す。
【００２４】
（ａ）金属調ホットスタンプ層３有り、７．５Ａ連続波で照射。
【００２５】
金属調ホットスタンプ層３の一部が消失（着色ホットスタンプ層１０が少し見える。
【００２６】
（ｂ）金属調ホットスタンプ層３有り、１０Ａ連続波で照射。
【００２７】
金属調ホットスタンプ層３、着色ホットスタンプ層１０ともに消失した。
【００２８】
（ｃ）金属調ホットスタンプ層３無し、７．５Ａ連続波で照射。
【００２９】
肉眼で消失を確認できないレベルであった。
【００３０】
（ｄ）金属調ホットスタンプ層３無し、１０Ａ連続波で照射。
【００３１】
ピンホール状の消失が数箇所有り。
【００３２】
（ｅ）金属調ホットスタンプ層３無し、１０Ａ、１２ＫＨｚパルス波で照射。
【００３３】
着色ホットスタンプ層１０が消失した。
【００３４】
４）レーザ光の焦点距離を変化させて比較した。その結果を以下に示す。
【００３５】
（ａ）＋５ｍｍ：僅かに金属調ホットスタンプ層３の残り有り。
【００３６】
（ｂ）＋８ｍｍ：金属調ホットスタンプ層３の残りがかなりあり。
【００３７】
（ｃ）＋１０ｍｍ：部分的に金属調ホットスタンプ層３が消失する。
【００３８】
（ｄ）−５ｍｍ：金属調ホットスタンプ層３消失、着色ホットスタンプ層１０にも無数のピンホール状の消失あり。
【００３９】
５）レーザ光の焦点距離を変化させて比較した（着色ホットスタンプ層１０のみ）。その結果を以下に示す。
【００４０】
（ａ）±０ｍｍ：肉眼で消失を確認できないレベル。
【００４１】
（ｂ）−５ｍｍ：着色ホットスタンプ層に無数のピンホールの消失有り。
【００４２】
以上のように、本実施の形態の指針では、指針本体２の表面に、着色ホットスタンプ層１０を、該着色ホットスタンプ層１０の上に金属調ホットスタンプ層３からなる意匠を施したので、前記意匠の間から直接見える指針表面の部分に着色ホットスタンプ層１０が露出することになり、指針に入る外部光に影響されることがなくなり、昼間の視認性が良好になると共に、夜間においても指針本体２内に導光される強い光が指針本体２の裏面のホットスタンプ層４で反射されて着色ホットスタンプ層１０を透過することにより、着色ホットスタンプ層１０の色彩が浮かび、良好な視認性が得られる。
【００４３】
また、本実施の形態の指針の製造方法では、着色ホットスタンプ層１０の上に金属調ホットスタンプ３を形成した後、レーザでこの金属調ホットスタンプ層３を加工するので、金属調ホットスタンプ３に位置ずれ等がなく高精度の意匠が表現できる。
【００４４】
【発明の効果】
以上、詳述したように、請求項１記載の発明によれば、指針本体の表面に着色ホットスタンプ層を、該着色ホットスタンプ層の上に金属調ホットスタンプ層からなる意匠を施したので、前記意匠の間から直接見える指針表面の部分に着色ホットスタンプ層が露出し、指針に入る外部光に影響されることがなくなり、昼間の視認性が良好になると共に、夜間においても指針本体に導光された強い光が指針本体の裏面のホットスタンプ層で反射されて着色ホットスタンプ層を透過することにより、着色ホットスタンプ層の色彩が浮かび、良好な視認性が得られる。
【００４５】
また、請求項２記載の発明によれば、指針本体の表面に着色ホットスタンプ層と金属調ホットスタンプ層を形成し、レーザにより金属調ホットスタンプ層の不要部分を削除して意匠を施すようにしたので、金属調ホットスタンプ層からなる意匠に位置ずれ等がなく、また、着色ホットスタンプ層にダメージを与えることなく高精度の意匠が表現できる。
【図面の簡単な説明】
【図１】（ａ）及び（ｂ）は指針の加工工程を示す要部斜視図である。
【図２】（ａ）及び（ｂ）は指針の加工工程を示す断面図である。
【図３】従来の指針の斜視図である。
【図４】（ａ）〜（ｄ）は従来の指針の構造例を示すもので、図３のＩＶ−ＩＶ線断面図である。
【符号の説明】
１  指針
２  指針本体
３  金属調ホットスタンプ層
４  金属調又は白色のホットスタンプ層
１０  着色ホットスタンプ層
【図１】
0004257025.tif 000002
【図２】
0004257025.tif 000003
【図３】
0004257025.tif 000004
【図４】
0004257025.tif 000005